(57)【要約】      （修正有）【課題】外周面が熱くても、容易に持つことが可能なコップを提供する。【解決手段】有底円筒状のコップ本体１を備え、コップ本体１の外周面１ｃにおいて、開口上面１ａと底面１ｂとの間の中央位置１ｅより開口上面１ａ寄りに、外周面１ｃを一周する伝熱緩和用の外鍔状肉厚部１２を設けた。注がれた熱い飲み物によって、コップ本体の外周面が熱くなっても、肉厚部を把持することで、熱い飲み物を必要以上に冷まさず飲むことができる。また、外周面が冷めるのを待つ時間が軽減できると共に、入れたてのお茶やコーヒーの風味が損なわれる前に（飲み頃を逃さずに）飲むことができる。複雑な部材や複雑な断熱構造が必要なく容易に製造できる。【選択図】図１
0003158188.tif 000002
【実用新案登録請求の範囲】
【請求項１】
有底円筒状のコップ本体（１）を備え、
上記コップ本体（１）の外周面（１ｃ）において、開口上面（１ａ）と底面（１ｂ）との間の中央位置（１ｅ）より上記開口上面（１ａ）寄りに、上記外周面（１ｃ）を一周する伝熱緩和用の外鍔状肉厚部（12）を設けたことを特徴とするコップ。
【請求項２】
上記コップ本体（１）と上記肉厚部（12）とを一体状に形成した請求項１記載のコップ。
【請求項３】
上記肉厚部（12）は、円環リング体（２）を上記外周面（１ｃ）に着脱自在に嵌着して成る請求項１記載のコップ。
【請求項４】
上記コップ本体（１）の上記外周面（１ｃ）において、上記開口上面（１ａ）近傍に、人体の下唇（ｋ）が載置される受け凹曲部（13）を、膨出形成した請求項１，２又は３記載のコップ。
【考案の詳細な説明】
【技術分野】
【０００１】
本考案は、コップに関する。
【背景技術】
【０００２】
従来、コップは、有底円筒状に形成され、円周壁は、均一な薄肉に形成されている（特許文献１参照）。
【先行技術文献】
【特許文献】
【０００３】
【特許文献１】実公昭３５−１７１９３号公報
【考案の概要】
【考案が解決しようとする課題】
【０００４】
しかし、従来のコップに、お茶やコーヒー等の熱い飲み物を注ぐと、円周壁がその飲み物によって熱せられ、コップの外周面が熱くなってしまい、容易に持つことができないといった問題があった。また、外周面が冷めるまで待つと、飲み物が冷え過ぎてしまい、味わいが薄れてしまうといった問題があった。
【０００５】
そこで、本考案は、外周面が熱くても、容易に持つことが可能なコップの提供を目的とする。
【課題を解決するための手段】
【０００６】
本考案のコップは、有底円筒状のコップ本体を備え、コップ本体の外周面において、開口上面と底面との間の中央位置より上記開口上面寄りに、上記外周面を一周する伝熱緩和用の外鍔状肉厚部を設けたものである。
【０００７】
また、上記コップ本体と上記肉厚部とを一体状に形成したものである。
または、上記肉厚部は、円環リング体を上記外周面に着脱自在に嵌着して成るものである。
【０００８】
また、上記コップ本体の上記外周面において、上記開口上面近傍に、人体の下唇が載置される受け凹曲部を、膨出形成したものである。
【考案の効果】
【０００９】
本考案のコップによれば、注がれた熱い飲み物によって、コップ本体の外周面が熱くなっても、肉厚部を把持することで、熱い飲み物を必要以上に冷まさず飲むことができる。また、冷めるのを待つ時間が軽減できると共に、入れたてのお茶やコーヒーの風味が損なわれる前に（飲み頃を逃さずに）飲むことができる。複雑な部材や複雑な断熱構造が必要なく容易に製造できる。肉厚部の下面がコップ本体を把持する手に係止してコップ本体の落下や倒れを防止する。
【図面の簡単な説明】
【００１０】
【図１】本考案の第１の実施形態を示す正面図である。
【図２】第１の実施形態の平面図である。
【図３】図２のＡ−Ａ断面図である。
【図４】第１の実施形態の使用状態を示す斜視図である。
【図５】本考案の作用を説明する説明図であり、（ａ）はコップ本体を傾けて飲んでいる状態の説明図であり、（ｂ）はコップ本体の傾きを戻した後の説明図である。
【図６】第２の実施形態を示す分解正面図である。
【図７】第２の実施形態の要部側面断面図である。
【図８】他の実施形態の要部側面断面図である。
【図９】従来のコップの作用を説明する説明図であり、（ａ）はコップを傾けて飲んでいる状態の説明図であり、（ｂ）はコップの傾きを戻した後の説明図である。
【考案を実施するための形態】
【００１１】
以下、図示の実施の形態に基づき本考案を詳説する。
図１乃至図３に示すように、本考案の第１の実施形態は、有底円筒状のコップ本体１を備えている。コップ本体１の外周面１ｃにおいて、コップ本体１の開口上面１ａとコップ本体１の底面１ｂとの間の中央位置１ｅより開口上面１ａ寄りに、外周面１ｃを一周する伝熱緩和用の外鍔状肉厚部12を設けている。「肉厚部12を開口上面１ａ寄りに設けている」とは、肉厚部12の下面12ｂをコップ本体１の中央位置１ｅより上方位置、かつ、肉厚部12の上面12ａをコップ本体１の開口上面１ａより下方位置、に設けていることである。
【００１２】
中央位置１ｅとは、コップ本体１の底面１ｂから開口上面１ａまでを高さ寸法Ｈと呼ぶと、底面１ｂから高さ寸法Ｈの半分の高さ寸法Ｈ／２の位置と定義する。
つまり、肉厚部12の下面12ｂを、底面１ｂから、半分の高さ寸法Ｈ／２（中央高さ寸法Ｈ／２）より高い位置に設けている。言い換えると、底面１ｂから肉厚部12の下面12ｂまでの寸法を鍔高さ寸法ｈと呼ぶと、鍔高さ寸法ｈを中央高さ寸法Ｈ／２より大きく設けている。なお、コップ本体１を水平面に載置したような図１に示す直立姿勢を基準姿勢とし、基準姿勢で方向を説明し、底面１ｂ側の方向を「下」と定義する。
【００１３】
また、外周面１ｃから肉厚部12の外側面12ｃまでの突出長さを、突出寸法Ｚと呼ぶと、突出寸法Ｚは、コップ本体１の円周壁10の周壁肉厚寸法ｔより大きく設けている。つまり、コップ本体１の内周面１ｄから肉厚部12の外側面12ｃまで（肉厚部12が形成されている部分）の合計肉厚寸法Ｔは、周壁肉厚寸法ｔの２倍以上に設けている。
【００１４】
また、突出寸法Ｚは、５ｍｍ以上１０ｍｍ以下とするのが望ましい。下限値より小さいと、収容した飲み物の熱さが肉厚部12にすぐに伝わって伝熱緩和作用が得られにくく、外周面１ｃと同様に熱くなってしまうからである。また、上限値を越えると、収容した飲み物を飲む際に邪魔（違和感を感じる）になる虞れがあると共に、肉厚部12の把持が困難となるからである。
【００１５】
また、コップ本体１の開口上面１ａから肉厚部12の上面12ａまでの長さを、鍔位置寸法Ｙと呼ぶと、鍔位置寸法Ｙは、１０ｍｍを越えるように設けるのが好ましい。１０ｍｍ以下であると、飲み物を飲む際に、人の手が触れる肉厚部12に口が触れる虞れがあり不衛生だからである。また、飲み物を飲む際に、コップ本体１を傾けると、飲み物が、開口上面１ａから肉厚部12の上面12ａを伝ってこぼれてしまう虞れがあるからである。
【００１６】
そして、コップ本体１の外周面１ｃにおいて、開口上面１ａの近傍（開口上面１ａより下方位置かつ肉厚部12の上面12ａより上方位置）に、外周面１ｃから突設した膨出部30を設けている。膨出部30の上面30ａを下方へ窪む正面視円弧状にして、人体の下唇ｋが載置される受け凹曲部13を形成している。言い換えると、受け凹曲部13は外周面１ｃに膨出状に形成されると共に、下方へ窪む正面視円弧状の上面30ａを有し、受け凹曲部13の上面30ａは、開口上面１ａより下方位置かつ肉厚部12の上面12ａより上方位置に設けている。
また、受け凹曲部13（膨出部30）は、肉厚部12より突出しないように形成されている。
【００１７】
肉厚部12及び受け凹曲部13は、コップ本体１と同じ材質から成り、コップ本体１と一体状に設けている。コップ本体１と、肉厚部12及び受け凹曲部13の材質は、陶器（土器）、磁器、プラスチック等の樹脂、ガラス等自由である。
【００１８】
以下、第１の実施の形態の使用法（作用）について説明する。
コップ本体１にお茶やコーヒー等の熱い飲み物を注ぐと、収容された飲み物の熱がコップ本体１の内周面１ｄから外周面１ｃに向かって伝熱するため、外周面１ｃは使用者が把持できないような熱さになる場合がある。しかし、円周壁10より厚い肉厚部12は、伝達される熱が緩和され（肉厚部12の外側面12ｃまで伝達されにくく）、コップ本体１の外周面１ｃの表面温度（高温）より肉厚部12の外側面12ｃは、低い表面温度（常温）に保持される。
【００１９】
図４に示すように、使用者は、コップ本体１の外周面１ｃが熱くても、肉厚部12を把持することで、熱い外周面１ｃに手のひらや指が接触することなく、持ち上げられ、飲み頃を逃さずに飲むことを可能にする。
【００２０】
また、コップ本体１の外周面１ｃが熱くなく把持可能な場合は、肉厚部12の下方位置のコップ本体１の外周面１ｃを把持すれば良い。この際、把持力（握力）が弱い場合や手が震えているような場合があっても、肉厚部12の下面12ｂがコップ本体１の外周面１ｃを把持する手に係止してコップ本体１の落下や倒れを防止する。
【００２１】
ここで、図９（ａ）に示すように、従来のコップ９で飲み物を飲む際は、そのコップ９を傾け、開口部近傍の外周面９ｃに人体（飲む人）の下唇ｋを接触させて飲む。そして、従来のコップ９を直立姿勢に（傾きを）戻す際に、従来のコップ９の外周面９ｃと下唇ｋの間が離間して、その間から飲み物がこぼれてしまう場合や、図９（ｂ）に示すように、コップ９の移動に引きずられて、又は、口元の弛みによって、二点鎖線で示すような適正位置の下唇ｋ’に比べて、下顎や下唇ｋが本人の意思とは関係なく下がり、飲みきっていない口の中の飲み物をこぼしてしまう場合がある。
【００２２】
しかし、本考案のコップは、図５（ａ）に示すように、受け凹曲部13より上方位置の外周面１ｃに、人体の下唇ｋを接触させて飲んだ後、図５（ｂ）に示すように、コップ本体１の傾きを戻す際に、下唇ｋの下面ｋａが受け凹曲部13の上面30ａに接触して、下唇ｋが受け凹曲部13に載置される。つまり、下唇ｋが下がらずに適正な位置に保持され、飲みきっていない口の中の飲み物がこぼれるのを防止する。また、外周面１ｃと下唇ｋの間が開くのを防止する。また、介護者が要介護者に飲ませた後、戻す際に、受け凹曲部13に要介護者の下唇ｋが載置されることで、介護者が戻すタイミングと要介護者が口を閉じるタイミングが合わない場合や、要介護者の口元が弛んでいる場合であっても、口の中の飲みきっていない飲み物がこぼれるのを防止する。
【００２３】
次に、本考案の第２の実施形態について説明する。
図６に示すように、有底円筒状のコップ本体１を備え、コップ本体１の外周面１ｃに、受け凹曲部13を膨出形成している。
そして、コップ本体１の外周面１ｃにおいて、中央位置１ｅより開口上面１ａ寄りに、外周面１ｃを一周する環状凹溝19を形成している。さらに、環状凹溝19に外嵌状に嵌着する弾性変形可能な円環リング体２を備えている。円環リング体２は弾性を有する樹脂やゴム等の弾性材から成る。また、円環リング体２の内径寸法Ｄは、環状凹溝19が形成されている外周面１ｃの溝外径寸法ｄより小さく設けている。
【００２４】
そして、円環リング体２を拡径状に弾性変形させ、図７に示すように、コップ本体１の環状凹溝19に、円環リング体２の弾性力（復元力）をもって締め付けるように嵌着させることで、コップ本体１に伝熱緩和用の外鍔状肉厚部12を形成したものである。
【００２５】
以下、第２の実施形態の使用法（作用）について説明する。
第２の実施形態は、肉厚部12をコップ本体１と異なる材質にでき、肉厚部12の断熱緩和作用をより高めることが可能である。つまり、円環リング体２を、コップ本体１の円周壁10より熱伝導率の低い（熱が伝わりにくい）材質で形成すれば、肉厚部12が常に人の手（素手）で把持可能な表面温度に保持される。
【００２６】
なお、本考案は設計変更可能であって、肉厚部12の断面形状は、図３に示したような矩形状から角部を湾曲形成したＤ字状、三角形状、逆三角形状、台形状、逆台形状等自由である。受け凹曲部13は、下方へ窪む正面視円弧状の上面30ａを有していれば、それ以外の外形状（輪郭形状）は自由である。つまり、第１の実施形態のように正面視の外形状が横倒三日月状に限らず、第２の実施形態のような凹字状乃至浅皿状等自由である。また、円環リング体２は、図７に示したように断面視円形状に限らず、また、環状凹溝19は断面視円弧状に限らず、図８に示す他の実施形態のように、多角形状としても良い。
【００２７】
以上のように、本考案は、有底円筒状のコップ本体１を備え、コップ本体１の外周面１ｃにおいて、開口上面１ａと底面１ｂとの間の中央位置１ｅより開口上面１ａ寄りに、外周面１ｃを一周する伝熱緩和用の外鍔状肉厚部12を設けたので、注がれた熱い飲み物によって、コップ本体１の外周面１ｃが熱くなっても、肉厚部12を把持して、熱い飲み物を必要以上に冷まさず飲むことができる。また、冷めるのを待つ時間が軽減できると共に、入れたてのお茶やコーヒーの風味が損なわれる前に（飲み頃を逃さずに）飲むことができる。複雑な部材や断熱構造が必要なく容易に製造できる。また、コップ本体１に氷水等の冷たい飲み物が収容されて、外周面１ｃが冷た過ぎて把持できないような場合であっても、肉厚部12を把持すれば、容易に飲むことができる。また、人の手の温度によって、コップ本体１に収容したビールやワイン等の冷たい飲み物が温くなるのを防止できる。また、肉厚部12の上面12ａとコップ本体１の開口上面１ａが面一状でないので、人の手が触れられる肉厚部12に人の口が接触することがなく、衛生的かつ容易に飲むことができる。
【００２８】
また、コップ本体１と肉厚部12とを一体状に形成したので、樹脂成型品、陶器、磁器、ガラス、木製等、様々な材質を用いて容易に製造できる。陶芸品やガラス工芸品としてコップの美観を損なうことなく、伝熱緩和作用を得ることができる。
【００２９】
または、肉厚部12は、円環リング体２を外周面１ｃに着脱自在に嵌着して成るので、肉厚部12を伝熱緩和に最適な材質で形成できる。肉厚部12が不要な際は取り外せ、狭い食器洗浄機や戸棚（空間）であっても容易に収納できる。
【００３０】
また、コップ本体１の外周面１ｃにおいて、開口上面１ａ近傍に、人体の下唇ｋが載置される受け凹曲部13を、膨出形成したので、コップ本体１の外周面１ｃと下唇ｋの間が離間するのを抑制し、飲み物がこぼれるのを防止できる。コップ本体１の移動に引きずられて、又は、口元の弛みによって、下唇ｋが本人の意思とは関係なく自然に下がり、飲みきっていない口の中の飲み物をこぼしてしまうことを防止できる。また、コップ本体１と人体の唇との間で、液切れが良く、飲み物がこぼれるのを防止できる。
【符号の説明】
【００３１】
１  コップ本体
１ａ  開口上面
１ｂ  底面
１ｃ  外周面
１ｅ  中央位置
２  円環リング体
12  肉厚部
13  受け凹曲部
ｋ  下唇
【図１】
0003158188.tif 000003
【図２】
0003158188.tif 000004
【図３】
0003158188.tif 000005
【図４】
0003158188.tif 000006
【図５】
0003158188.tif 000007
【図６】
0003158188.tif 000008
【図７】
0003158188.tif 000009
【図８】
0003158188.tif 000010
【図９】
0003158188.tif 000011